(57)【特許請求の範囲】
【請求項１】
介護計画の作成を補助する介護計画の補助装置であって、
情報入力を受け付ける入力手段と、
情報を表示する表示手段と、
前記入力手段および前記表示手段を制御する制御手段とを備え、
前記制御手段は、
心身機能および身体構造、並びに活動および参加に分類された国際生活機能分類のうち、参加に分類される複数の分類コードと、対象者の支援を行うための介護目標と、対象者の状態を把握するための質問とを関連付けて介護目標データとして記憶する記憶部と、
前記記憶部に記憶された質問を前記表示手段に表示させる表示制御部と、
前記入力手段を介して質問の回答を受け付ける入力受付部と、
前記入力受付部にて受け付けられた質問の回答と、前記記憶部に記憶された介護目標データとに基づいて、質問に関連付けられた介護目標を介護計画の目標とするか否かを判定する目標判定部と、
前記目標判定部にて介護計画の目標とすると判定された介護目標と、当該介護目標に関連付けられた分類コードとを出力する情報出力部とを備えることを特徴とする介護計画の補助装置。
【請求項２】
請求項１に記載された介護計画の補助装置において、
前記入力受付部は、過去の回答および現在の回答に分けて質問の回答を受け付け、
前記目標判定部は、前記入力受付部にて受け付けられた過去の回答および現在の回答と、前記記憶部に記憶された介護目標データとに基づいて、質問に関連付けられた介護目標を介護計画の目標とするか否かを判定することを特徴とする介護計画の補助装置。
【請求項３】
請求項１または請求項２に記載された介護計画の補助装置において、
前記制御手段は、
前記目標判定部にて介護計画の目標とすると判定された介護目標と、介護計画の目標とすると判定されなかった介護目標とを仕分けして前記表示手段に表示させる追加表示制御部と、
前記入力手段を介して前記目標判定部にて介護計画の目標とすると判定されなかった介護目標の追加選択を受け付ける追加選択受付部とを備え、
前記情報出力部は、前記追加選択受付部にて受け付けられた介護目標と、当該介護目標に関連付けられた分類コードとを出力することを特徴とする介護計画の補助装置。
【請求項４】
請求項１から請求項３のいずれかに記載された介護計画の補助装置において、
前記表示制御部は、前記情報出力部にて出力された介護目標と、分類コードとを目標候補として前記表示手段に表示させ、
前記入力受付部は、前記表示手段に表示された目標候補のうち、少なくともいずれか１つの目標候補の選択を受け付け、
前記記憶部は、複数の分類コードと、対象者の支援を行うための支援方法とを関連付けて支援方法データとして記憶し、
前記制御手段は、
前記入力受付部にて受け付けられた目標候補を介護計画の目標として決定する目標決定部と、
前記目標決定部にて決定された介護計画の目標を達成するための支援方法を選択させる支援方法選択部とを備え、
前記情報出力部は、前記支援方法選択部にて選択させた支援方法と、この支援方法に関連付けられた分類コードとを出力することを特徴とする介護計画の補助装置。
【請求項５】
請求項４に記載された介護計画の補助装置において、
前記入力受付部は、前記表示手段に表示された目標候補のうち、少なくともいずれか１つの目標候補を短期目標として選択を受け付け、少なくともいずれか１つの目標候補を長期目標として選択を受け付け、
前記目標決定部は、前記入力受付部にて受け付けられた短期目標および長期目標を介護計画の目標として決定することを特徴とする介護計画の補助装置。
【請求項６】
請求項４または請求項５に記載された介護計画の補助装置において、
前記支援方法選択部は、
心身機能の支援方法を選択させる第１の選択群と、
心身機能の支援方法とは異なる支援方法を選択させる第２の選択群とを備えることを特徴とする介護計画の補助装置。
【請求項７】
請求項６に記載された介護計画の補助装置において、
前記制御手段は、
前記支援方法選択部にて第１の選択群から選択された心身機能の支援方法に基づいて、心身機能に係る介護計画の目標を決定する心身機能目標決定部を備えることを特徴とする介護計画の補助装置。
【発明の詳細な説明】
【技術分野】
【０００１】
本発明は、介護の対象者を支援する支援者による介護計画の作成を補助する介護計画の補助装置に関する。
【背景技術】
【０００２】
近年、介護の対象者に対して、その対象者の居住地域にて提供される多様な通いの場への参加を促し、地域全体で相互に支え合う介護の仕組みの構築が進んでいる。従来の介護は、筋力向上や歩行訓練などの心身機能に偏ったリハビリや機能訓練を中心としているので、介護の対象者に多様な通いの場への参加を促すための有効な介護とはなっていなかった。
参加は、他者との接触や環境との相互作用を含む高度な介護目標である。このため、心身機能の低下を生じた対象者は、自身の可能性を客観的に判断し、参加に係る介護計画の目標を適切に見出すことは困難である。また、このような対象者は、自身の希望を明確に表現できない場合もあるので、熟練度の低い支援者は、参加に係る介護計画を立案することは困難である。
【０００３】
ところで、従来、介護の対象者を支援する支援者による介護計画の作成を補助する介護計画の補助装置が知られている。
例えば、特許文献１に記載されたケア支援システムは、介護の対象者の希望を入力させることによって、この希望を実現するための目標の候補を表示し、これらの目標の候補から支援者に目標を選択させている。そして、このケア支援システムは、支援者に選択された目標を達成するために必要な１または複数の実施事項を提示するようになっている。
【先行技術文献】
【特許文献】
【０００４】
【特許文献１】特許第６７１６１４４号公報
【発明の概要】
【発明が解決しようとする課題】
【０００５】
しかしながら、心身機能の低下を生じた対象者は、前述したように、自身の希望を明確に表現できない場合もあるので、特許文献１に記載されたケア支援システムでは、熟練度の低い支援者は、心身機能の低下を生じた対象者に対して参加に係る介護計画の目標を適切に選択することができず、ひいては参加に係る介護計画を立案することは困難であるという問題がある。
【０００６】
本発明の目的は、熟練度の低い支援者であっても適切に介護計画を立案することができる介護計画の補助装置を提供することである。
【課題を解決するための手段】
【０００７】
本発明の介護計画の補助装置は、介護計画の作成を補助する介護計画の補助装置であって、情報入力を受け付ける入力手段と、情報を表示する表示手段と、入力手段および表示手段を制御する制御手段とを備え、制御手段は、心身機能および身体構造、並びに活動および参加に分類された国際生活機能分類のうち、参加に分類される複数の分類コードと、対象者の支援を行うための介護目標と、対象者の状態を把握するための質問とを関連付けて介護目標データとして記憶する記憶部と、記憶部に記憶された質問を表示手段に表示させる表示制御部と、入力手段を介して質問の回答を受け付ける入力受付部と、入力受付部にて受け付けられた質問の回答と、記憶部に記憶された介護目標データとに基づいて、質問に関連付けられた介護目標を介護計画の目標とするか否かを判定する目標判定部と、目標判定部にて介護計画の目標とすると判定された介護目標と、この介護目標に関連付けられた分類コードとを出力する情報出力部とを備えることを特徴とする。
【０００８】
このような構成によれば、介護計画の補助装置は、入力受付部にて受け付けられた質問の回答と、記憶部に記憶された介護目標データとに基づいて、質問に関連付けられた介護目標を介護計画の目標とするか否かを判定する目標判定部を備え、情報出力部は、目標判定部にて介護計画の目標とすると判定された介護目標と、この介護目標に関連付けられた分類コードとを出力する。これによれば、支援者は、情報出力部にて出力された情報に基づいて、介護計画を立案することができるので、熟練度の低い支援者であっても適切に介護計画を立案することができる。
【０００９】
本発明では、入力受付部は、過去の回答および現在の回答に分けて質問の回答を受け付け、目標判定部は、入力受付部にて受け付けられた過去の回答および現在の回答と、記憶部に記憶された介護目標データとに基づいて、質問に関連付けられた介護目標を介護計画の目標とするか否かを判定することが好ましい。
【００１０】
このような構成によれば、目標判定部は、入力受付部にて受け付けられた過去の回答および現在の回答と、記憶部に記憶された介護目標データとに基づいて、質問に関連付けられた介護目標を介護計画の目標とするか否かを判定するので、例えば、過去においては実施できていたものの現在においては実施できなくなってしまった介護目標を介護計画の目標とすることができる。したがって、目標判定部は、その介護目標を介護計画の目標とするか否かを更に適切に判定することができる。
【００１１】
本発明では、制御手段は、目標判定部にて介護計画の目標とすると判定された介護目標と、介護計画の目標とすると判定されなかった介護目標とを仕分けして表示手段に表示させる追加表示制御部と、入力手段を介して目標判定部にて介護計画の目標とすると判定されなかった介護目標の追加選択を受け付ける追加選択受付部とを備え、情報出力部は、追加選択受付部にて受け付けられた介護目標と、この介護目標に関連付けられた分類コードとを出力することが好ましい。
【００１２】
このような構成によれば、追加選択受付部は、入力手段を介して目標判定部にて介護計画の目標とすると判定されなかった介護目標の追加選択を受け付けるので、支援者は、例えば、対象者と面談などを実施し、目標判定部にて介護計画の目標とすると判定されなかった介護目標を選択することによって、適切な介護目標を介護計画の目標に追加することができる。
【００１３】
本発明では、表示制御部は、情報出力部にて出力された介護目標と、分類コードとを目標候補として表示手段に表示させ、入力受付部は、表示手段に表示された目標候補のうち、少なくともいずれか１つの目標候補の選択を受け付け、記憶部は、複数の支援分類コードと、対象者の支援を行うための支援方法とを関連付けて支援方法データとして記憶し、制御手段は、入力受付部にて受け付けられた目標候補を介護計画の目標として決定する目標決定部と、目標決定部にて決定された介護計画の目標を達成するための支援方法を選択させる支援方法選択部とを備え、情報出力部は、支援方法選択部にて選択させた支援方法と、この支援方法に関連付けられた支援分類コードとを出力することが好ましい。
【００１４】
このような構成によれば、介護計画の補助装置は、目標決定部にて決定された介護計画の目標を達成するための支援方法を選択させる支援方法選択部を備え、情報出力部は、支援方法選択部にて選択させた支援方法と、この支援方法に関連付けられた支援分類コードとを出力するので、支援者は、選択した支援方法の支援分類コードを容易に把握することができる。
【００１５】
本発明では、入力受付部は、表示手段に表示された目標候補のうち、少なくともいずれか１つの目標候補を短期目標として選択を受け付け、少なくともいずれか１つの目標候補を長期目標として選択を受け付け、目標決定部は、入力受付部にて受け付けられた短期目標および長期目標を介護計画の目標として決定することが好ましい。
【００１６】
このような構成によれば、目標決定部は、入力受付部にて受け付けられた短期目標および長期目標を介護計画の目標として決定するので、支援者は、介護計画の目標として短期目標および長期目標をそれぞれ設定することができ、それぞれの支援方法を支援方法選択部にて選択することができる。
【００１７】
本発明では、支援方法選択部は、心身機能の支援方法を選択させる第１の選択群と、心身機能の支援方法とは異なる支援方法を選択させる第２の選択群とを備えることが好ましい。
【００１８】
このような構成によれば、支援方法選択部は、心身機能の支援方法を選択させる第１の選択群と、心身機能の支援方法とは異なる支援方法を選択させる第２の選択群とを備えるので、支援者は、選択すべき支援方法の種別を容易に把握することができ、熟練度の低い支援者であっても適切に支援方法を選択することができる。
【００１９】
本発明では、制御手段は、支援方法選択部にて第１の選択群から選択された心身機能の支援方法に基づいて、心身機能に係る介護計画の目標を決定する心身機能目標決定部を備えることが好ましい。
【００２０】
このような構成によれば、制御手段は、支援方法選択部にて第１の選択群から選択された心身機能の支援方法に基づいて、心身機能に係る介護計画の目標を決定する心身機能目標決定部を備えるので、心身機能に係る介護計画の目標と、活動や参加に係る介護計画の目標との目標同士の整合性を高めることができ、支援者は、介護計画を更に適切に立案することができる。
【図面の簡単な説明】
【００２１】
【図１】本発明の一実施形態に係る介護計画の補助システムの概略構成を示す図
【図２】管理サーバの概略構成を示す機能ブロック図
【図３】記憶部に記憶された対象者の状態を把握するための質問を表示手段に表示させた状態を示す図
【図４】記憶部に記憶された介護目標データを示す図
【図５】記憶部に記憶された支援方法データを示す図
【図６】介護計画の補助システムによる補助方法の流れを示すフローチャート
【図７】介護目標の仕分け結果を表示し、介護目標の追加選択を受け付ける目標候補の選択フォームを表示手段に表示させた状態を示す図
【図８】選択フォームにて選択された介護目標と、この介護目標に関連付けられた分類コードとを表示手段に表示させた状態を示す図
【図９】介護計画の目標として決定された目標候補を表示手段に表示させた状態を示す図
【図１０】心身機能に分類される介護計画の目標として決定された目標候補を表示手段に表示させた状態を示す図
【図１１】支援方法選択部にて選択させた支援方法を表示手段に表示させた状態を示す図
【発明を実施するための形態】
【００２２】
以下、本発明の一実施形態を図面に基づいて説明する。
図１は、本発明の一実施形態に係る介護計画の補助システムの概略構成を示す図である。
介護計画の補助システム１は、介護の対象者を支援する支援者による介護計画の作成を補助するシステムである。この介護計画の補助システム１は、図１に示すように、介護計画に関する各種のデータを記憶するとともに、介護計画の補助システム１の全体を管理する管理サーバ２と、介護の対象者を支援する支援者の所持する携帯電話、スマートフォン、およびタブレット型のパーソナルコンピュータ、デスクトップ型のパーソナルコンピュータ等の支援者用端末装置３と、介護の対象者の所持する対象者用端末装置４とを備えている。管理サーバ２、支援者用端末装置３、および対象者用端末装置４は、通信回線としての公衆ネットワークであるインターネット５を介して相互に通信可能に接続されている。
【００２３】
支援者用端末装置３は、ＣＰＵ（Central Processing Unit）や、メモリなどによって構成され、このメモリに記憶された所定のプログラムに従って情報処理を実行する。
本実施形態では、支援者用端末装置３は、デスクトップ型のパーソナルコンピュータである。この支援者用端末装置３は、情報入力を受け付けるキーボードやマウスなどの入力手段３１と、情報を表示するモニタなどの表示手段３２とを備えている。
【００２４】
対象者用端末装置４は、ＣＰＵや、メモリなどによって構成され、このメモリに記憶された所定のプログラムに従って情報処理を実行する。
本実施形態では、対象者用端末装置４は、スマートフォンである。この対象者用端末装置４は、タッチパネル４１を備えている。タッチパネル４１は、情報入力を受け付ける入力手段として機能するとともに、情報を表示する表示手段として機能する。
【００２５】
なお、本実施形態では、支援者用端末装置３は、デスクトップ型のパーソナルコンピュータとし、対象者用端末装置４は、スマートフォンとしているが、入力手段および表示手段を備えていれば、どのような端末装置であってもよい。
【００２６】
図２は、管理サーバの概略構成を示す機能ブロック図である。
管理サーバ２は、ＣＰＵや、メモリなどによって構成され、このメモリに記憶された所定のプログラムに従って情報処理を実行する。この管理サーバ２は、図２に示すように、介護計画の補助システム１の全体を管理する制御手段２１と、介護計画に関する各種のデータを記憶する記憶部２２とを備えている。
【００２７】
記憶部２２は、心身機能および身体構造、並びに活動および参加に分類された国際生活機能分類における複数の分類コードと、対象者の支援を行うための介護目標と、対象者の状態を把握するための質問とを関連付けて介護目標データとして記憶する。
【００２８】
図３は、記憶部に記憶された対象者の状態を把握するための質問を表示手段に表示させた状態を示す図である。
記憶部２２に記憶された介護目標データのうち、対象者の状態を把握するための質問は、図３に示すように、アンケートＱ１として支援者用端末装置３の表示手段３２や、対象者用端末装置４のタッチパネル４１に表示される。
アンケートＱ１は、国際生活機能分類のうち、活動に分類される活動アンケートＱ２と、参加に分類される参加アンケートＱ３とを備えている。
【００２９】
活動アンケートＱ２は、国際生活機能分類のうち、活動に分類される複数の分類コードに基づいて、対象者の状態を把握するための質問を表示する複数の項目欄Ｑ２１と、各項目欄Ｑ２１の質問内容に該当する場合にチェックするためのチェックボックス欄Ｑ２２とを備えている。
項目欄Ｑ２１は、例えば、「１．自宅から一番近い店まで買い物に出かけられる」や、「２．バスや電車で１０分以上かかる場所まで出かけられる」などのように、活動に係る対象者の状態を把握するための質問を項目ごとに表示している。
チェックボックス欄Ｑ２２は、項目欄Ｑ２１に隣接して配置されている。このチェックボックス欄Ｑ２２は、各項目欄Ｑ２１の質問内容に該当している場合にチェックし、該当していない場合にチェックしないことによって、質問の回答を受け付ける。
【００３０】
参加アンケートＱ３は、国際生活機能分類のうち、参加に分類される複数の分類コードに基づいて、対象者の状態を把握するための質問を表示する複数の項目欄Ｑ３１と、各項目欄Ｑ３１の質問内容に該当する場合にチェックするためのチェックボックス欄Ｑ３２とを備えている。
項目欄Ｑ３１は、例えば、「１．報酬を伴う仕事（家業の手伝いを含む）」や、「２．報酬のない奉仕活動」などのように、参加に係る対象者の状態を把握するための質問を項目ごとに表示している。
チェックボックス欄Ｑ３２は、項目欄Ｑ３１に隣接して配置されている。このチェックボックス欄Ｑ３２は、前述したチェックボックス欄Ｑ２２とは異なり、以前（過去）の回答を受け付ける過去回答欄Ｑ３２１と、現在の回答を受け付ける現在回答欄Ｑ３２２とを備えている。
【００３１】
過去回答欄Ｑ３２１は、各項目欄Ｑ３１の質問内容に過去において該当していた場合にチェックし、該当していなかった場合にチェックしないことによって、過去における質問の回答を受け付ける。
現在回答欄Ｑ３２２は、各項目欄Ｑ３１の質問内容に現在において該当している場合にチェックし、該当していない場合にチェックしないことによって、現在における質問の回答を受け付ける。
【００３２】
図４は、記憶部に記憶された介護目標データを示す図である。
介護目標データＧＤ１は、図４に示すように、国際生活機能分類ＩＣＦ（International Classification of Functioning）における分類コードのデータ列である分類コード列ＧＤ２と、対象者の支援を行うための介護目標のデータ列である介護目標列ＧＤ３と、この介護目標に対応する介護計画を支援者に立案させるための例文のデータ列である例文列ＧＤ４と、前述した対象者の状態を把握するための質問（アンケートＱ１）に基づいて、分類コード、介護目標、および例文を抽出するか否かを判断するためのデータ列である抽出条件列ＧＤ５とを備えている。
なお、図４では、介護目標データＧＤ１における図中１〜４行目のデータ行を、それぞれデータ行ＤＡ１〜４とする。
【００３３】
分類コード列ＧＤ２は、例えば、「ｄ６２０  物品とサービスの入手」（データ行ＤＡ１）や、「ｄ４７０  交通機関や手段の利用」（データ行ＤＡ２）や、「ｄ８５０  報酬を伴う仕事」（データ行ＤＡ３）や、「ｄ８５５  無報酬の仕事」（データ行ＤＡ４）などのように、国際機能分類における分類コードのデータを有している。
介護目標列ＧＤ３は、例えば、「一番近い店まで買い物に行く」（データ行ＤＡ１）や、「バス・電車で１０分以上の所に出掛ける」（データ行ＤＡ２）や、「（報酬を伴う）仕事をする」（データ行ＤＡ３）や、「（報酬がない）仕事や活動をする」（データ行ＤＡ４）などのように、対象者の支援を行うための介護目標のデータを有している。
【００３４】
例文列ＧＤ４は、例えば、「〇〇まで買い物に行ける」、および「記入例：近所のコンビニまで買い物に行ける」（データ行ＤＡ１）などのように、介護目標に対応する介護計画を支援者に立案させるための例文のデータを有している。ここで、例文列ＧＤ４の左側のデータは、介護目標に対応した抽象的な例文のデータであり、例文列ＧＤ４の右側のデータは、左側のデータよりも更に具体的な例文のデータである。
【００３５】
抽出条件列ＧＤ５は、例えば、「現在×」（データ行ＤＡ１，２）や、「以前が〇現在が×」（データ行ＤＡ３，４）などのように、対象者の状態を把握するための質問（アンケートＱ１）に基づいて、分類コード、介護目標、および例文を抽出するか否かを判断するためのデータを有している。
【００３６】
ここで、データ行ＤＡ１は、活動アンケートＱ２における項目欄Ｑ２１の「１．自宅から一番近い店まで買い物に出かけられる」に関連付けられている。そして、データ行ＤＡ１は、このチェックボックス欄Ｑ２２にチェックしていない場合に、「現在×」である、すなわち現在できていない活動であるとして抽出されるようになっている。
データ行ＤＡ２は、活動アンケートＱ２における項目欄Ｑ２１の「２．バスや電車で１０分以上かかる場所まで出かけられる」に関連付けられている。そして、データ行ＤＡ２は、このチェックボックス欄Ｑ２２にチェックしていない場合に、「現在×」である、すなわち現在できていない活動であるとして抽出されるようになっている。
【００３７】
データ行ＤＡ３は、参加アンケートＱ３における項目欄Ｑ３１の「１．報酬を伴う仕事（家業の手伝いを含む）」に関連付けられている。そして、データ行ＤＡ３は、この過去回答欄Ｑ３２１にチェックしてあり、現在回答欄Ｑ３２２にチェックしていない場合に、「以前が〇現在が×」である、すなわち過去できていたものの現在できていない参加であるとして抽出されるようになっている。
データ行ＤＡ４は、参加アンケートＱ３における項目欄Ｑ３１の「２．報酬のない奉仕活動」に関連付けられている。そして、データ行ＤＡ４は、この過去回答欄Ｑ３２１にチェックしてあり、現在回答欄Ｑ３２２にチェックしていない場合に、「以前が〇現在が×」である、すなわち過去できていたものの現在できていない参加であるとして抽出されるようになっている。
【００３８】
また、記憶部２２は、複数の支援分類コードと、対象者の支援を行うための支援方法とを関連付けて支援方法データとして記憶する。
【００３９】
図５は、記憶部に記憶された支援方法データを示す図である。
支援方法データＳＤ１は、図５に示すように、国際生活機能分類ＩＣＦにおける分類コードのデータ列である分類コード列ＳＤ２と、対象者の支援を行うための支援方法のデータ列である支援方法列ＳＤ３と、この支援方法に対応する支援分類コードのデータ列である支援分類コード列ＳＤ４と、この支援方法に対応する介護計画を支援者に立案させるための例文のデータ列である例文列ＳＤ５とを備えている。
なお、図５では、支援方法データＳＤ１における図中１〜８行目のデータ行を、それぞれデータ行ＤＡ１１，１２，２１，２２，３１，３２，４１，４２とする。
【００４０】
ここで、支援方法データＳＤ１は、心身機能の支援方法（データ行ＤＡ１１，１２）、第１の動作の支援方法（データ行ＤＡ２１，２２）、第２の動作の支援方法（データ行ＤＡ３１，３２）、および知的機能・精神機能の支援方法（データ行ＤＡ４１，４２）の４つのカテゴリの支援方法に分けて支援方法データとして記憶部２２に記憶されている。
【００４１】
分類コード列ＳＤ２は、例えば、「ｂ４４５」（データ行ＤＡ１１）や、「ｂ４５５」（データ行ＤＡ１２）などのように、国際機能分類における分類コードのデータを有している。
支援方法列ＳＤ３は、例えば、「１５．姿勢転換（保持）を向上する」（データ行ＤＡ２１）や、「１６．起居・移乗動作を向上する」（データ行ＤＡ２２）などのように、対象者の支援を行うための支援方法のデータを有している。なお、支援方法列ＳＤ３は、各支援方法のデータの左側に連番の数字を有している。
【００４２】
支援分類コード列ＳＤ４は、例えば、「交通機関利用練習  ３０」（データ行ＤＡ３１）や、「買い物練習（方法の変更）  ３７」（データ行ＤＡ３２）などのように、支援方法に対応する支援分類コードのデータを有している。ここで、支援分類コードは、データの末尾に付された数字である。具体的には、データＤＡ３１は、支援分類コード「３０」を有し、データＤＡ３２は、支援分類コード「３７」を有している。
例文列ＳＤ５は、例えば、「〇〇の学習機能を改善する」、および「記入例：反復学習への集中を持続させる」（データ行ＤＡ４１）や、「〇〇を読む機能を改善させる」、および「記入例：新聞などを音読する機能を向上させる」（データ行ＤＡ４２）などのように、支援方法に対応する介護計画を支援者に立案させるための例文のデータを有している。ここで、例文列ＳＤ５の左側のデータは、支援方法に対応した抽象的な例文のデータであり、例文列ＳＤ５の右側のデータは、左側のデータよりも更に具体的な例文のデータである。
【００４３】
制御手段２１は、図２に示すように、表示制御部２１１と、入力受付部２１２と、目標判定部２１３と、情報出力部２１４と、追加表示制御部２１５と、追加選択受付部２１６と、目標決定部２１７と、支援方法選択部２１８と、心身機能目標決定部２１９とを備えている。
表示制御部２１１は、支援者用端末装置３の表示手段３２や、対象者用端末装置４のタッチパネル４１に情報を表示させる。
入力受付部２１２は、支援者用端末装置３の入力手段３１や、対象者用端末装置４のタッチパネル４１を介して情報入力を受け付ける。
【００４４】
ここで、表示制御部２１１は、記憶部２２に記憶された質問（アンケートＱ１）を表示手段３２や、タッチパネル４１に表示させる。入力受付部２１２は、入力手段３１や、タッチパネル４１を介して質問の回答を受け付ける。
なお、本実施形態では、入力受付部２１２は、過去の回答および現在の回答に分けて質問の回答を受け付けるが、過去の回答および現在の回答に分けて質問の回答を受け付けなくてもよく、例えば、質問の回答として現在の回答のみを受け付けるようにしてもよい。
【００４５】
目標判定部２１３は、入力受付部２１２にて受け付けられた質問の回答（過去の回答および現在の回答）と、記憶部２２に記憶された介護目標データとに基づいて、質問に関連付けられた介護目標を介護計画の目標とするか否かを判定する。
追加表示制御部２１５は、目標判定部２１３にて介護計画の目標とすると判定された介護目標と、介護計画の目標とすると判定されなかった介護目標とを仕分けして支援者用端末装置３の表示手段３２や、対象者用端末装置４のタッチパネル４１に表示させる。
追加選択受付部２１６は、入力手段３１や、タッチパネル４１を介して目標判定部２１３にて介護計画の目標とすると判定されなかった介護目標の追加選択を受け付ける。
【００４６】
そして、情報出力部２１４は、目標判定部２１３にて介護計画の目標とすると判定された介護目標と、追加選択受付部２１６にて受け付けられた介護目標と、この介護目標に関連付けられた分類コードとを出力する。
なお、本実施形態では、情報出力部２１４は、表示手段３２や、タッチパネル４１に情報を表示させて出力しているが、情報を利用可能な形式にて出力することができれば、どのような形式であってもよい。
【００４７】
ここで、表示制御部２１１は、情報出力部２１４にて出力された介護目標と、分類コードとを目標候補として表示手段３２や、タッチパネル４１に表示させる。入力受付部２１２は、表示手段３２や、タッチパネル４１に表示された目標候補のうち、少なくともいずれか１つの目標候補の選択を受け付ける。
なお、本実施形態では、入力受付部２１２は、表示手段３２や、タッチパネル４１に表示された目標候補のうち、少なくともいずれか１つの目標候補を短期目標として選択を受け付け、少なくともいずれか１つの目標候補を長期目標として選択を受け付けるが、短期目標および長期目標の双方の選択を受け付けなくてもよく、全体として１つ、または複数の目標候補の選択を受け付けてもよい。
【００４８】
目標決定部２１７は、入力受付部２１２にて受け付けられた目標候補（短期目標および長期目標）を介護計画の目標として決定する。
【００４９】
支援方法選択部２１８は、心身機能の支援方法を選択させる第１の選択群と、心身機能の支援方法とは異なる支援方法を選択させる第２の選択群とを備えている。ここで、第１の選択群は、前述した心身機能の支援方法（データ行ＤＡ１１，１２）の選択群であり、第２の選択群は、前述した第１の動作の支援方法（データ行ＤＡ２１，２２）、第２の動作の支援方法（データ行ＤＡ３１，３２）、および知的機能・精神機能の支援方法（データ行ＤＡ４１，４２）の各選択群である。この支援方法選択部２１８は、目標決定部２１７にて決定された介護計画の目標を達成するための支援方法を選択させる。
そして、情報出力部２１４は、支援方法選択部２１８にて選択させた支援方法と、この支援方法に関連付けられた支援分類コードとを出力する。
【００５０】
心身機能目標決定部２１９は、支援方法選択部２１８にて第１の選択群から選択された心身機能の支援方法に基づいて、心身機能に係る介護計画の目標を決定する。
【００５１】
図６は、介護計画の補助システムによる補助方法の流れを示すフローチャートである。
介護計画の補助システム１による補助方法では、管理サーバ２は、図６に示すように、ステップＳＴ１〜ＳＴ１２の処理を繰り返し実行する。
具体的には、表示制御部２１１は、記憶部２２に記憶された質問（アンケートＱ１）を表示手段３２や、タッチパネル４１に表示させる（ステップＳＴ１）。
ステップＳＴ１にてアンケートＱ１を表示させた後、入力受付部２１２は、入力手段３１や、タッチパネル４１を介して質問の回答を受け付ける（ステップＳＴ２）。
【００５２】
本実施形態では、質問の回答として、項目欄Ｑ２１の「１．自宅から一番近い店まで買い物に出かけられる」に対応するチェックボックス欄Ｑ２２にチェックし、項目欄Ｑ２１の「２．バスや電車で１０分以上かかる場所まで出かけられる」に対応するチェックボックス欄Ｑ２２にチェックしていない場合を例示して説明する（図３参照）。
また、本実施形態では、質問の回答として、項目欄Ｑ３１の「１．報酬を伴う仕事（家業の手伝いを含む）」に対応する過去回答欄Ｑ３２１にチェックし、現在回答欄Ｑ３２２にチェックしていない場合、並びに項目欄Ｑ３１の「２．報酬のない奉仕活動」に対応する過去回答欄Ｑ３２１および現在回答欄Ｑ３２２にチェックしている場合を例示して説明する（図３参照）。
【００５３】
ステップＳＴ２にて質問の回答を受け付けた後、目標判定部２１３は、入力受付部２１２にて受け付けられた質問の回答（過去の回答および現在の回答）と、記憶部２２に記憶された介護目標データＧＤ１とに基づいて、質問に関連付けられた介護目標を介護計画の目標とするか否かを判定する（ステップＳＴ３）。
【００５４】
具体的には、本実施形態では、項目欄Ｑ２１の「１．自宅から一番近い店まで買い物に出かけられる」は、チェックボックス欄Ｑ２２にチェックしているので、データ行ＤＡ１に基づいて、現在できていない活動であるとして抽出されないことになる。換言すれば、目標判定部２１３は、この質問に関連付けられた介護目標を介護計画の目標としないと判定する。
これに対して、本実施形態では、項目欄Ｑ２１の「２．バスや電車で１０分以上かかる場所まで出かけられる」は、チェックボックス欄Ｑ２２にチェックしていないので、データ行ＤＡ２に基づいて、現在できていない活動であるとして抽出されることになる。換言すれば、目標判定部２１３は、この質問に関連付けられた介護目標を介護計画の目標とすると判定する。
【００５５】
また、本実施形態では、項目欄Ｑ３１の「１．報酬を伴う仕事（家業の手伝いを含む）」は、過去回答欄Ｑ３２１にチェックし、現在回答欄Ｑ３２２にチェックしていないので、データ行ＤＡ３に基づいて、過去できていたものの現在できていない参加であるとして抽出されることになる。換言すれば、目標判定部２１３は、この質問に関連付けられた介護目標を介護計画の目標とすると判定する。
これに対して、本実施形態では、項目欄Ｑ３１の「２．報酬のない奉仕活動」は、過去回答欄Ｑ３２１および現在回答欄Ｑ３２２にチェックしているので、データ行ＤＡ４に基づいて、過去できていたものの現在できていない参加であるとして抽出されないことになる。換言すれば、目標判定部２１３は、この質問に関連付けられた介護目標を介護計画の目標としないと判定する。
【００５６】
ステップＳＴ３にて質問に関連付けられた介護目標を介護計画の目標とするか否かを判定した後、追加表示制御部２１５は、目標判定部２１３にて介護計画の目標とすると判定された介護目標と、介護計画の目標とすると判定されなかった介護目標とを仕分けして支援者用端末装置３の表示手段３２や、対象者用端末装置４のタッチパネル４１に表示させる（ステップＳＴ４）。
ステップＳＴ４にて介護計画の目標とすると判定された介護目標と、介護計画の目標とすると判定されなかった介護目標とを仕分けして表示させた後、追加選択受付部２１６は、入力手段３１や、タッチパネル４１を介して目標判定部２１３にて介護計画の目標とすると判定されなかった介護目標の追加選択を受け付ける（ステップＳＴ５）。
【００５７】
図７は、介護目標の仕分け結果を表示し、介護目標の追加選択を受け付ける目標候補の選択フォームを表示手段に表示させた状態を示す図である。
追加表示制御部２１５は、図７に示すように、目標判定部２１３にて介護計画の目標とすると判定された介護目標と、介護計画の目標とすると判定されなかった介護目標とを仕分けした仕分け結果として目標候補の選択フォームＦ１を支援者用端末装置３の表示手段３２や、対象者用端末装置４のタッチパネル４１に表示させる。
【００５８】
選択フォームＦ１は、国際生活機能分類のうち、活動に分類される介護目標を選択するための活動選択フォームＦ２と、参加に分類される介護目標を選択するための参加選択フォームＦ３とを備えている。
活動選択フォームＦ２は、活動アンケートＱ２の項目欄Ｑ２１と対応する介護目標を表示する項目欄Ｆ２１と、各項目欄Ｆ２１の介護目標を選択する場合にチェックするためのチェックボックス欄Ｆ２２と、支援者および対象者にて実施された面談結果などの特記事項を自由に入力するための入力欄Ｆ２３とを備えている。
チェックボックス欄Ｆ２２は、項目欄Ｆ２１に隣接して配置されている。このチェックボックス欄Ｆ２２は、各項目欄Ｆ２１の介護目標を選択する場合にチェックし、選択しない場合にチェックしないことによって、介護目標の選択を受け付ける。
【００５９】
参加選択フォームＦ３は、参加アンケートＱ３の項目欄Ｑ３１と対応する介護目標を表示する項目欄Ｆ３１と、各項目欄Ｆ３１の介護目標を選択する場合にチェックするためのチェックボックス欄Ｆ３２と、支援者および対象者にて実施された面談結果などの特記事項を自由に入力するための入力欄（図示略）とを備えている。
チェックボックス欄Ｆ３２は、項目欄Ｆ３１に隣接して配置されている。このチェックボックス欄Ｆ３２は、各項目欄Ｆ３１の介護目標を選択する場合にチェックし、選択しない場合にチェックしないことによって、介護目標の選択を受け付ける。
【００６０】
ここで、追加表示制御部２１５は、目標判定部２１３にて介護計画の目標とすると判定されなかった介護目標をハッチング処理することによって、目標判定部２１３にて介護計画の目標とすると判定された介護目標と、介護計画の目標とすると判定されなかった介護目標とを仕分けしている。
また、追加表示制御部２１５は、目標判定部２１３にて介護計画の目標とすると判定された介護目標と対応するチェックボックス欄Ｆ２２，Ｆ３２にチェックしておくことによって、目標判定部２１３にて介護計画の目標とすると判定された介護目標と、介護計画の目標とすると判定されなかった介護目標とを仕分けしている。
【００６１】
そして、この選択フォームＦ１を利用することによって、追加選択受付部２１６は、入力手段３１や、タッチパネル４１を介して目標判定部２１３にて介護計画の目標とすると判定されなかった介護目標の追加選択を受け付ける。
具体的には、追加選択受付部２１６は、チェックボックス欄Ｆ２２，Ｆ３２のチェックの有無を判定し、チェックされている場合には、そのチェックボックス欄Ｆ２２，Ｆ３２と対応する介護目標の選択を受け付け、チェックされていない場合には、そのチェックボックス欄Ｆ２２，Ｆ３２と対応する介護目標の選択を受け付けないようになっている。
【００６２】
ここで、本実施形態では、前述したように、追加表示制御部２１５は、目標判定部２１３にて介護計画の目標とすると判定された介護目標と対応するチェックボックス欄Ｆ２２，Ｆ３２にチェックしているので、追加選択受付部２１６は、目標判定部２１３にて介護計画の目標とすると判定された介護目標の選択を受け付けるようになっている。
しかしながら、本実施形態では、目標判定部２１３にて介護計画の目標とすると判定された介護目標と対応するチェックボックス欄Ｆ２２，Ｆ３２のチェックを外しておくことによって、追加選択受付部２１６は、目標判定部２１３にて介護計画の目標とすると判定された介護目標の選択を受け付けないようになる。換言すれば、介護計画の補助システム１の使用者は、例えば、支援者および対象者にて実施された面談結果に応じて、目標判定部２１３にて介護計画の目標とすると判定された介護目標の選択を解除することができる。
【００６３】
本実施形態では、介護目標の追加選択として、項目欄Ｆ２１の「２．バスや電車で１０分以上かかる場所まで出かけられる」に対応するチェックボックス欄Ｆ２２にチェックし、項目欄Ｆ３１の「１．報酬を伴う仕事」に対応するチェックボックス欄Ｆ３２にチェックしている場合を例示して説明する。
【００６４】
ステップＳＴ５にて介護目標の追加選択を受け付けた後、情報出力部２１４は、目標判定部２１３にて介護計画の目標とすると判定された介護目標と、追加選択受付部２１６にて受け付けられた介護目標と、この介護目標に関連付けられた分類コードとを出力する。そして、表示制御部２１１は、情報出力部２１４にて出力された介護目標と、分類コードとを目標候補として表示手段３２や、タッチパネル４１に表示させる（ステップＳＴ６）。
【００６５】
図８は、選択フォームにて選択された介護目標と、この介護目標に関連付けられた分類コードとを表示手段に表示させた状態を示す図である。
表示制御部２１１は、図８に示すように、情報出力部２１４にて出力された介護目標と、分類コードとを目標候補として表示するための目標選定画面Ｇ１１を支援者用端末装置３の表示手段３２や、対象者用端末装置４のタッチパネル４１に表示させる。
【００６６】
目標選定画面Ｇ１１は、国際生活機能分類のうち、活動に分類される目標候補を介護計画の目標として選定するための活動選定画面Ｇ１２と、参加に分類される目標候補を介護計画の目標として選定するための参加選定画面Ｇ１３とを備えている。
【００６７】
活動選定画面Ｇ１２は、目標選定画面Ｇ１１の左側に配置されている。この活動選定画面Ｇ１２は、目標候補を表示する目標候補欄Ｇ１２１と、各目標候補欄Ｇ１２１の右側に隣接して配置されるとともに、各目標候補欄Ｇ１２１に表示された目標候補に対応する分類コードを表示するコード欄Ｇ１２２と、各目標候補欄Ｇ１２１の左側に隣接して配置されるとともに、各目標候補欄Ｇ１２１に表示された目標候補を短期目標および長期目標のいずれの目標とするかを選定するためのラジオボタンＧ１２３とを備えている。
【００６８】
ここで、情報出力部２１４は、目標判定部２１３にて介護計画の目標とすると判定された介護目標と、追加選択受付部２１６にて受け付けられた介護目標と、記憶部２２に記憶された介護目標データＧＤ１とに基づいて、この介護目標に関連付けられた分類コードとを出力する。
【００６９】
具体的には、本実施形態では、追加選択受付部２１６は、項目欄Ｆ２１の「１．自宅から一番近い店まで買い物に出かけられる」、および「２．バスや電車で１０分以上かかる場所まで出かけられる」に対応する介護目標の選択を受け付けている。
したがって、情報出力部２１４は、データ行ＤＡ１，ＤＡ２に基づいて、目標候補欄Ｇ１２１およびコード欄Ｇ１２２に対して介護目標列ＧＤ３および分類コード列ＧＤ２のデータを出力する。
【００７０】
参加選定画面Ｇ１３は、目標選定画面Ｇ１１の右側に配置されている。この参加選定画面Ｇ１３は、目標候補を表示する目標候補欄Ｇ１３１と、各目標候補欄Ｇ１３１の右側に隣接して配置されるとともに、各目標候補欄Ｇ１３１に表示された目標候補に対応する分類コードを表示するコード欄Ｇ１３２と、各目標候補欄Ｇ１３１の左側に隣接して配置されるとともに、各目標候補欄Ｇ１３１に表示された目標候補を短期目標および長期目標のいずれの目標とするかを選定するためのラジオボタンＧ１３３とを備えている。
【００７１】
ここで、情報出力部２１４は、目標判定部２１３にて介護計画の目標とすると判定された介護目標と、追加選択受付部２１６にて受け付けられた介護目標と、記憶部２２に記憶された介護目標データＧＤ１とに基づいて、この介護目標に関連付けられた分類コードを出力する。
【００７２】
具体的には、本実施形態では、追加選択受付部２１６は、項目欄Ｆ３１の「１．報酬を伴う仕事（家業の手伝いを含む）」、および「２．報酬のない奉仕活動」に対応する介護目標の選択を受け付けている。
したがって、情報出力部２１４は、データ行ＤＡ３，４に基づいて、目標候補欄Ｇ１３１およびコード欄Ｇ１３２に対して介護目標列ＧＤ３および分類コード列ＧＤ２のデータを出力する。
【００７３】
ラジオボタンＧ１２３，Ｇ１３３は、各目標候補欄に表示された目標候補を短期目標として選定する場合に選択する左欄と、長期目標として選定する場合に選択する右欄とを有している。
【００７４】
ステップＳＴ６にて目標候補を表示手段に表示させた後、入力受付部２１２は、図６に示すように、表示手段３２や、タッチパネル４１に表示された目標候補のうち、少なくともいずれか１つの目標候補の選択を受け付ける（ステップＳＴ７）。
ステップＳＴ７にて目標候補の選択を受け付けた後、目標決定部２１７は、入力受付部２１２にて受け付けられた目標候補（短期目標および長期目標）を介護計画の目標として決定する（ステップＳＴ８）。
【００７５】
本実施形態では、目標候補欄Ｇ１２１の「１．一番近い店まで買い物に行く」に対応するラジオボタンＧ１２３を短期目標として選定し、「２．バス・電車で１０分以上の所に出掛ける」に対応するラジオボタンＧ１２３を長期目標として選定し、目標候補欄Ｇ１３１の「１．（報酬を伴う）仕事をする」に対応するラジオボタンＧ１３３を長期目標として選定し、目標候補欄Ｇ１３１の「２．（報酬がない）仕事や活動をする」に対応するラジオボタンＧ１３３を短期目標として選定している場合を例示して説明する。
【００７６】
図９は、介護計画の目標として決定された目標候補を表示手段に表示させた状態を示す図である。
表示制御部２１１は、図９に示すように、目標決定部２１７にて介護計画の目標として決定された目標候補を表示するための目標設定画面Ｇ２１を支援者用端末装置３の表示手段３２や、対象者用端末装置４のタッチパネル４１に表示させる。
【００７７】
目標設定画面Ｇ２１は、国際生活機能分類のうち、参加に分類される介護計画の目標を設定するための参加設定画面Ｇ２２と、活動に分類される介護計画の目標を設定するための活動設定画面Ｇ２３とを備えている。
なお、活動設定画面Ｇ２３は、参加設定画面Ｇ２２の下側に配置されている。この活動設定画面Ｇ２３は、参加設定画面Ｇ２２と同様の機能を有しているので、その説明を省略する。
【００７８】
参加設定画面Ｇ２２は、目標決定部２１７にて決定された介護計画の短期目標を設定する左欄と、介護計画の長期目標を設定する右欄とを有している。
この参加設定画面Ｇ２２は、例文を表示する例文欄Ｇ２２１と、例文欄Ｇ２２１の下側に配置されるとともに、目標の清書を自由に入力するための目標入力欄Ｇ２２２と、目標入力欄Ｇ２２２の下側に配置されるとともに、目標決定部２１７にて決定された介護計画の目標に対応する分類コードを表示するコード欄Ｇ２２３と、コード欄Ｇ２２３の下側に配置されるとともに、目標の達成度を選択するための達成度選択欄Ｇ２２４とを備えている。
【００７９】
ここで、表示制御部２１１は、目標決定部２１７にて介護計画の目標として決定された目標候補と、記憶部２２に記憶された介護目標データＧＤ１とに基づいて、この介護目標に関連付けられた例文や分類コードを表示させる。
【００８０】
具体的には、本実施形態では、目標候補欄Ｇ１３１の「１．（報酬を伴う）仕事をする」に対応するラジオボタンＧ１３３を長期目標として選定し、目標候補欄Ｇ１３１の「２．（報酬がない）仕事や活動をする」に対応するラジオボタンＧ１３３を短期目標として選定している。
したがって、表示制御部２１１は、データ行ＤＡ３，４に基づいて、例文欄Ｇ２２１およびコード欄Ｇ２２３に対して例文列ＧＤ４および分類コード列ＧＤ２のデータを表示させる。
【００８１】
ステップＳＴ８にて介護計画の目標を決定した後、支援方法選択部２１８は、図６に示すように、目標決定部２１７にて決定された介護計画の目標を達成するための支援方法を選択させる（ステップＳＴ９）。
【００８２】
ここで、参加設定画面Ｇ２２は、図９に示すように、心身機能の支援方法を選択させるための心身支援選択欄Ｇ２２５と、第１の動作の支援方法を選択させるための第１支援選択欄Ｇ２２６と、第２の動作の支援方法を選択させるための第２支援選択欄Ｇ２２７と、知的機能・精神機能の支援方法を選択させるための知的支援選択欄Ｇ２２８とを備えている。
【００８３】
心身支援選択欄Ｇ２２５は、前述した心身機能の支援方法（データ行ＤＡ１１，１２）の選択群から心身機能の支援方法を選択させるプルダウンメニューである。
第１支援選択欄Ｇ２２６は、前述した第１の動作の支援方法（データ行ＤＡ２１，２２）の選択群から第１の動作の支援方法を選択させるプルダウンメニューである。
第２支援選択欄Ｇ２２７は、前述した第２の動作の支援方法（データ行ＤＡ３１，３２）の選択群から第２の動作の支援方法を選択させるプルダウンメニューである。
知的支援選択欄Ｇ２２８は、前述した知的機能・精神機能の支援方法（データ行ＤＡ４１，４２）の選択群から知的機能・精神機能の支援方法を選択させるプルダウンメニューである。
【００８４】
本実施形態では、参加設定画面Ｇ２２における短期目標および長期目標において、心身支援選択欄Ｇ２２５は、「１．呼吸機能を向上する」を選択し、第１支援選択欄Ｇ２２６は、「１５．姿勢転換（保持）を向上する」を選択し、第２支援選択欄Ｇ２２７は、「２５．交通機関の利用に慣れる」を選択し、知的支援選択欄Ｇ２２８は、「３６．模倣や繰り返しで学習する機能を改善する」を選択している場合を例示して説明する。
【００８５】
ステップＳＴ９にて支援方法を選択させた後、図６に示すように、心身機能目標決定部２１９は、第１の選択群から心身機能の支援方法を選択しているか否かを判定する（ステップＳＴ１０）。
心身機能目標決定部２１９は、ステップＳＴ１０にて第１の選択群から心身機能の支援方法を選択していないと判定した場合には、ステップＳＴ１１の処理を実行することなく、ステップＳＴ１２以降の処理を実行する。
これに対して、心身機能目標決定部２１９は、ステップＳＴ１０にて第１の選択群から心身機能の支援方法を選択していると判定した場合には、支援方法選択部２１８にて第１の選択群から選択された心身機能の支援方法に基づいて、心身機能に係る介護計画の目標を決定する（ステップＳＴ１１）。
【００８６】
図１０は、心身機能に分類される介護計画の目標として決定された目標候補を表示手段に表示させた状態を示す図である。
表示制御部２１１は、図９および図１０に示すように、心身機能に分類される介護計画の目標として決定された目標候補を表示するための目標設定画面Ｇ２１を支援者用端末装置３の表示手段３２や、対象者用端末装置４のタッチパネル４１に表示させる。
【００８７】
目標設定画面Ｇ２１は、前述した参加設定画面Ｇ２２および活動設定画面Ｇ２３と、国際生活機能分類のうち、心身機能に分類される介護計画の目標を設定するための心身機能設定画面Ｇ２４とを備えている。
【００８８】
心身機能設定画面Ｇ２４は、活動設定画面Ｇ２３の下側に配置されている。この心身機能設定画面Ｇ２４は、支援方法選択部２１８にて第１の選択群から選択された心身機能の支援方法を表示する目標候補欄Ｇ２４１と、目標候補欄Ｇ２４１の左側に配置されるとともに、心身機能に分類される介護計画の目標を選定するためのラジオボタンＧ２４２と、目標候補欄Ｇ２４１の下側に配置されるとともに、例文を表示する例文欄Ｇ２４３と、例文欄Ｇ２４３の下側に配置されるとともに、目標の清書を自由に入力するための目標入力欄Ｇ２４４と、目標入力欄Ｇ２４４の下側に配置されるとともに、介護計画の目標に対応する分類コードを表示するコード欄Ｇ２４５と、コード欄Ｇ２４５の下側に配置されるとともに、目標の達成度を選択するための達成度選択欄Ｇ２４６とを備えている。
【００８９】
心身機能設定画面Ｇ２４は、心身機能に係る介護計画の短期目標を設定する左欄と、心身機能に係る介護計画の長期目標を設定する右欄とを有している。
目標候補欄Ｇ２４１は、参加設定画面Ｇ２２にて設定された介護計画の目標、および活動設定画面Ｇ２３にて設定された介護計画の目標の双方において、心身支援選択欄Ｇ２２５にて選択された２つの心身機能の支援方法と、記憶部２２に記憶された支援方法データＳＤ１とに基づいて、支援方法に対応する介護計画を支援者に立案させるための例文を上下２段に表示する。
具体的には、表示制御部２１１は、目標候補欄Ｇ２４１に対して例文列ＳＤ５のデータを表示させる。また、表示制御部２１１は、活動設定画面Ｇ２３にて設定された介護計画の目標を目標候補欄Ｇ２４１の上段に表示し、参加設定画面Ｇ２２にて設定された介護計画の目標を目標候補欄Ｇ２４１の下段に表示している。
【００９０】
なお、本実施形態では、前述したように、参加設定画面Ｇ２２における短期目標および長期目標において、心身支援選択欄Ｇ２２５は、「１．呼吸機能を向上する」を選択しているので、目標候補欄Ｇ２４１は、「呼吸機能を向上させる」を下段に表示している。
また、本実施形態では、活動設定画面Ｇ２３における短期目標および長期目標において、心身支援選択欄は、図１０に示すように、「２．全身持久力を向上させる」を選択しているので、目標候補欄Ｇ２４１は、「全身持久力を向上させる」を上段に表示している。
【００９１】
ラジオボタンＧ２４２は、目標候補欄Ｇ２４１の上段に表示された目標候補を選定する場合に選択する上欄と、目標候補欄Ｇ２４１の下段に表示された目標候補を選定する場合に選択する下欄とを有している。
本実施形態では、目標候補欄Ｇ２４１の上段に表示された目標候補「全身持久力を向上させる」に対応するラジオボタンＧ２４２を選定している場合を例示して説明する。
【００９２】
ここで、表示制御部２１１は、ラジオボタンＧ２４２にて選択された心身機能に係る介護計画の目標と、記憶部２２に記憶された支援方法データＳＤ１とに基づいて、この介護計画の目標に関連付けられた例文や分類コードを表示させる。
【００９３】
具体的には、本実施形態では、目標候補欄Ｇ２４１の上段に表示された目標候補「全身持久力を向上させる」に対応するラジオボタンＧ２４２を選定している。
したがって、表示制御部２１１は、データ行ＤＡ１２に基づいて、例文欄Ｇ２４３およびコード欄Ｇ２４５に対して例文列ＳＤ５および分類コード列ＳＤ２のデータを表示させる。
【００９４】
ステップＳＴ１１にて心身機能に係る介護計画の目標を決定した後、またはステップＳＴ１０にて第１の選択群から心身機能の支援方法を選択していないと判定した場合には、情報出力部２１４は、支援方法選択部２１８にて選択させた支援方法と、この支援方法に関連付けられた支援分類コードとを出力する。そして、表示制御部２１１は、情報出力部２１４にて出力された支援方法と、支援分類コードとを表示手段３２や、タッチパネル４１に表示させる（ステップＳＴ１２）。
【００９５】
図１１は、支援方法選択部にて選択させた支援方法を表示手段に表示させた状態を示す図である。
表示制御部２１１は、図１１に示すように、支援方法選択部２１８にて選択させた支援方法を表示するための支援設定画面Ｇ３１を支援者用端末装置３の表示手段３２や、対象者用端末装置４のタッチパネル４１に表示させる。
【００９６】
支援設定画面Ｇ３１は、国際生活機能分類のうち、参加に分類される介護計画の目標を達成するための支援方法を設定するための参加支援設定画面Ｇ３２と、活動に分類される介護計画の目標を達成するための支援方法を設定するための活動支援設定画面Ｇ３３とを備えている。
なお、活動支援設定画面Ｇ３３は、参加支援設定画面Ｇ３２の下側に配置されている。この活動支援設定画面Ｇ３３は、参加支援設定画面Ｇ３２と同様の機能を有しているので、その説明を省略する。
【００９７】
参加支援設定画面Ｇ３２は、目標決定部２１７にて決定された介護計画の短期目標を達成するための支援方法を設定する左欄と、介護計画の長期目標を達成するための支援方法を設定する右欄とを有している。
この参加支援設定画面Ｇ３２は、介護計画の目標を表示する目標欄Ｇ３２１と、目標欄Ｇ３２１の下側に配置されるとともに、支援方法の例文を表示する例文欄Ｇ３２２と、例文欄Ｇ３２２の左側に配置されるとともに、支援方法を選定するためのラジオボタンＧ３２３と、支援方法の清書を自由に入力するための支援方法入力欄Ｇ３２４と、支援方法入力欄Ｇ３２４の下側に配置されるとともに、ラジオボタンＧ３２３にて選定された支援方法に対応する支援分類コードを表示する支援コード欄Ｇ３２５とを備えている。
【００９８】
ここで、表示制御部２１１は、目標決定部２１７にて介護計画の目標として決定された目標候補と、記憶部２２に記憶された介護目標データＧＤ１とに基づいて、目標欄Ｇ３２１に介護計画の目標を表示させる。
具体的には、本実施形態では、目標候補欄Ｇ１３１の「１．（報酬を伴う）仕事をする」に対応するラジオボタンＧ１３３を長期目標として選定し、目標候補欄Ｇ１３１の「２．（報酬がない）仕事や活動をする」に対応するラジオボタンＧ１３３を短期目標として選定している。
したがって、表示制御部２１１は、データ行ＤＡ３，４に基づいて、目標欄Ｇ３２１に対して例文列ＧＤ４のデータを表示させる。
【００９９】
また、表示制御部２１１は、支援方法選択部２１８にて選択させた支援方法と、記憶部２２に記憶された支援方法データＳＤ１とに基づいて、例文欄Ｇ３２２に支援方法の例文を表示させる。
具体的には、本実施形態では、参加設定画面Ｇ２２における短期目標および長期目標において、心身支援選択欄Ｇ２２５は、「１．呼吸機能を向上する」を選択し、第１支援選択欄Ｇ２２６は、「１５．姿勢転換（保持）を向上する」を選択し、第２支援選択欄Ｇ２２７は、「２５．交通機関の利用に慣れる」を選択し、知的支援選択欄Ｇ２２８は、「３６．模倣や繰り返しで学習する機能を改善する」を選択している。
したがって、表示制御部２１１は、データ行ＤＡ１１，２１，３１，４１に基づいて、例文欄Ｇ３２２に対して例文列ＳＤ５のデータを表示させる。
【０１００】
ラジオボタンＧ３２３は、例文欄Ｇ３２２に表示された支援方法を選定する場合に選択すべく各例文欄Ｇ３２２に対応する４つの欄を有している。
本実施形態では、介護計画の短期目標を達成するための支援方法を設定する左欄は、１段目の「呼吸機能を向上させる」に対応するラジオボタンＧ３２３を選定し、介護計画の長期目標を達成するための支援方法を設定する右欄は、３段目の「〇〇交通機関の利用に慣れる」に対応するラジオボタンＧ３２３を選定している場合を例示して説明する。
【０１０１】
ここで、表示制御部２１１は、ラジオボタンＧ３２３にて選定された支援方法と、記憶部２２に記憶された支援方法データＳＤ１とに基づいて、支援コード欄Ｇ３２５に支援分類コードを表示させる。
具体的には、本実施形態では、介護計画の短期目標を達成するための支援方法を設定する左欄は、１段目の「呼吸機能を向上させる」に対応するラジオボタンＧ３２３を選定し、介護計画の長期目標を達成するための支援方法を設定する右欄は、３段目の「〇〇交通機関の利用に慣れる」に対応するラジオボタンＧ３２３を選定している。
したがって、表示制御部２１１は、データ行ＤＡ１１，３１に基づいて、支援コード欄Ｇ３２５に対して支援分類コード列ＳＤ４のデータを表示させる。
【０１０２】
このように、介護計画の補助システム１は、介護の対象者を支援する支援者による介護計画の作成を補助することができるようになっている。
また、介護計画の補助システム１は、目標選定画面Ｇ１１、目標設定画面Ｇ２１、および支援設定画面Ｇ３１の各画面にて設定した介護計画を所定の書式にて書き出すことができる機能を有している（図示略）。
【０１０３】
ここで、介護計画の補助システム１は、情報入力を受け付ける入力手段（入力手段３１，タッチパネル４１）と、情報を表示する表示手段（表示手段３２，タッチパネル４１）と、入力手段３１、表示手段３２、およびタッチパネル４１を制御する制御手段２１を有する管理サーバ２とを備えた本発明の介護計画の補助装置として機能している。
【０１０４】
このような本実施形態によれば、以下の作用・効果を奏することができる。
（１）介護計画の補助システム１は、入力受付部２１２にて受け付けられた質問（アンケートＱ１）の回答と、記憶部２２に記憶された介護目標データＧＤ１とに基づいて、質問に関連付けられた介護目標を介護計画の目標とするか否かを判定する目標判定部２１３を備え、情報出力部２１４は、目標判定部２１３にて介護計画の目標とすると判定された介護目標と、この介護目標に関連付けられた分類コードとを出力する。これによれば、支援者は、情報出力部２１４にて出力された情報に基づいて、介護計画を立案することができるので、熟練度の低い支援者であっても適切に介護計画を立案することができる。
【０１０５】
（２）目標判定部２１３は、入力受付部２１２にて受け付けられた過去の回答および現在の回答と、記憶部２２に記憶された介護目標データＧＤ１とに基づいて、質問に関連付けられた介護目標を介護計画の目標とするか否かを判定するので、例えば、過去においては実施できていたものの現在においては実施できなくなってしまった介護目標を介護計画の目標とすることができる。したがって、目標判定部２１３は、その介護目標を介護計画の目標とするか否かを更に適切に判定することができる。
（３）追加選択受付部２１６は、入力手段３１やタッチパネル４１を介して目標判定部２１３にて介護計画の目標とすると判定されなかった介護目標の追加選択を受け付けるので、支援者は、例えば、対象者と面談などを実施し、目標判定部２１３にて介護計画の目標とすると判定されなかった介護目標を選択することによって、適切な介護目標を介護計画の目標に追加することができる。
【０１０６】
（４）介護計画の補助システム１は、目標決定部２１７にて決定された介護計画の目標を達成するための支援方法を選択させる支援方法選択部２１８を備え、情報出力部２１４は、支援方法選択部２１８にて選択させた支援方法と、この支援方法に関連付けられた支援分類コードとを出力するので、支援者は、選択した支援方法の支援分類コードを容易に把握することができる。
（５）目標決定部２１７は、入力受付部２１２にて受け付けられた短期目標および長期目標を介護計画の目標として決定するので、支援者は、介護計画の目標として短期目標および長期目標をそれぞれ設定することができ、それぞれの支援方法を支援方法選択部２１８にて選択することができる。
【０１０７】
（６）支援方法選択部２１８は、心身機能の支援方法を選択させる第１の選択群と、心身機能の支援方法とは異なる支援方法を選択させる第２の選択群とを備えるので、支援者は、選択すべき支援方法の種別を容易に把握することができ、熟練度の低い支援者であっても適切に支援方法を選択することができる。
（７）制御手段２１は、支援方法選択部２１８にて第１の選択群から選択された心身機能の支援方法に基づいて、心身機能に係る介護計画の目標を決定する心身機能目標決定部２１９を備えるので、心身機能に係る介護計画の目標と、活動や参加に係る介護計画の目標との目標同士の整合性を高めることができ、支援者は、介護計画を更に適切に立案することができる。
【０１０８】
〔実施形態の変形〕
なお、本発明は、前記実施形態に限定されるものではなく、本発明の目的を達成できる範囲での変形、改良等は本発明に含まれるものである。
例えば、前記実施形態では、介護計画の補助装置は、管理サーバ２と、支援者用端末装置３と、対象者用端末装置４とを備えたシステムとしてインターネット５上に分散された複数の機器によって構成されていたが、単体の情報処理装置にて構成されていてもよい。
前記実施形態では、記憶部２２は、管理サーバ２のメモリにて構成されていたが、ＨＤＤ（Hard Disk Drive）や、ＮＡＳ（Network Attached Storage）等によって構成されてもよく、クラウドサービスによって構成されてもよい。
【０１０９】
前記実施形態では、入力受付部２１２は、過去の回答および現在の回答に分けて質問の回答を受け付け、目標判定部２１３は、入力受付部２１２にて受け付けられた過去の回答および現在の回答と、記憶部２２に記憶された介護目標データＧＤ１とに基づいて、質問に関連付けられた介護目標を介護計画の目標とするか否かを判定していた。これに対して、質問および質問の回答は、過去および現在に分けなくてもよく、例えば、現在のみとしてもよい。要するに、入力受付部は、入力手段を介して質問の回答を受け付け、目標判定部は、入力受付部にて受け付けられた質問の回答と、記憶部に記憶された介護目標データとに基づいて、質問に関連付けられた介護目標を介護計画の目標とするか否かを判定すればよい。
【０１１０】
前記実施形態では、追加選択受付部２１６は、入力手段３１やタッチパネル４１を介して目標判定部２１３にて介護計画の目標とすると判定されなかった介護目標の追加選択を受け付けていた。これに対して、介護計画の補助装置は、介護目標の追加選択を受け付けなくてもよい。この場合には、介護計画の補助装置は、追加表示制御部および追加選択受付部を備えていなくてもよい。
介護計画の補助システム１は、目標決定部２１７にて決定された介護計画の目標を達成するための支援方法を選択させる支援方法選択部２１８を備え、情報出力部２１４は、支援方法選択部２１８にて選択させた支援方法と、この支援方法に関連付けられた支援分類コードとを出力していた。これに対して、介護計画の補助装置は、介護計画の目標を達成するための支援方法を選択させなくてもよい。この場合には、介護計画の補助装置は、目標決定部および支援方法選択部を備えていなくてもよい。
【０１１１】
前記実施形態では、目標決定部２１７は、入力受付部２１２にて受け付けられた短期目標および長期目標を介護計画の目標として決定していた。これに対して、目標決定部は、介護計画の目標を短期目標および長期目標に分けて決定しなくてもよい。要するに、目標決定部は、入力受付部にて受け付けられた目標候補を介護計画の目標として決定すればよい。
【０１１２】
前記実施形態では、支援方法選択部２１８は、心身機能の支援方法を選択させる第１の選択群と、心身機能の支援方法とは異なる支援方法を選択させる第２の選択群とを備えていた。これに対して、支援方法選択部は、第１の選択群および第２の選択群を備えていなくてもよい。要するに、支援方法選択部は、目標決定部にて決定された介護計画の目標を達成するための支援方法を選択させればよく、選択群は、１つであってもよく、３つ以上であってもよい。
前記実施形態では、心身機能目標決定部２１９は、支援方法選択部２１８にて第１の選択群から選択された心身機能の支援方法に基づいて、心身機能に係る介護計画の目標を決定していたが、これとは異なる他の方法にて心身機能に係る介護計画の目標を決定するようにしてもよく、例えば、心身機能に係る介護計画の目標を選択させた後、心身機能の支援方法を設定または選択するようにしてもよい。
【産業上の利用可能性】
【０１１３】
以上のように、本発明は、介護の対象者を支援する支援者による介護計画の作成を補助する介護計画の補助装置に好適に利用できる。
【符号の説明】
【０１１４】
１      介護計画の補助システム（介護計画の補助装置）
２      管理サーバ
３      支援者用端末装置
４      対象者用端末装置
５      インターネット
２１    制御手段
２２    記憶部
３１    入力手段
３２    表示手段
４１    タッチパネル（入力手段および表示手段）
２１１  表示制御部
２１２  入力受付部
２１３  目標判定部
２１４  情報出力部
２１５  追加表示制御部
２１６  追加選択受付部
２１７  目標決定部
２１８  支援方法選択部
２１９  心身機能目標決定部
ＧＤ１  介護目標データ
ＳＤ１  支援方法データ
【要約】
【課題】熟練度の低い支援者であっても適切に介護計画を立案することができる介護計画の補助装置の提供。
【解決手段】介護計画の補助システム１は、入力手段３１，４１と、表示手段３２，４１と、制御手段２１とを備える。制御手段２１は、国際生活機能分類のうち、参加に分類される複数の分類コードと、対象者の支援を行うための介護目標と、対象者の状態を把握するための質問とを関連付けて介護目標データとして記憶する記憶部２２と、質問を表示させる表示制御部２１１と、質問の回答を受け付ける入力受付部２１２と、質問の回答および介護目標データに基づいて、質問に関連付けられた介護目標を介護計画の目標とするか否かを判定する目標判定部２１３と、介護計画の目標とすると判定された介護目標および分類コードを出力する情報出力部２１４とを備える。
【選択図】図２【図１】
0006915187.tif 000002
【図２】
0006915187.tif 000003
【図３】
0006915187.tif 000004
【図４】
0006915187.tif 000005
【図５】
0006915187.tif 000006
【図６】
0006915187.tif 000007
【図７】
0006915187.tif 000008
【図８】
0006915187.tif 000009
【図９】
0006915187.tif 000010
【図１０】
0006915187.tif 000011
【図１１】
0006915187.tif 000012